(57)【要約】【課題】  カバーの挿入口部から侵入する液体を止めることができる防水カバーを提供する。【解決手段】  防水カバーは、人体の所定部位を覆うためのカバー本体と、カバー本体に所定部位を挿入すべく筒状に形成される少なくとも１つの挿入口部とを備え、挿入口部は、その内周面を所定部位付近に密着可能に構成され、内周面に周方向全周にわたって延びる液体捕捉部分を有し、液体捕捉部分は、挿入口部に入ってくる液体を捕捉するようになっている。【選択図】      図１
2017158911.tif 000002
【特許請求の範囲】
【請求項１】
人体の所定部位を覆うためのカバー本体と、
前記カバー本体に前記所定部位を挿入すべく筒状に形成される少なくとも１つの挿入口部とを備え、
前記挿入口部は、その内周面を前記所定部位付近に密着可能に構成され、前記内周面に周方向全周にわたって延びる液体捕捉部分を有し、
前記液体捕捉部分は、前記挿入口部に入ってくる液体を捕捉するようになっている、防水カバー。
【請求項２】
前記液体捕捉部は、前記挿入口部の軸線方向に間隔をあけて並び、且つ周方向に延在する複数の凸条部分を有している、請求項１に記載の防水カバー。
【請求項３】
前記液体捕捉部は、前記挿入口部の軸線方向に間隔をあけて並び、且つ周方向に延在する複数の凹溝部分を有している、請求項１に記載の防水カバー。
【請求項４】
前記挿入口部は、伸縮性を有する材料から成る、請求項１乃至３の何れか１つに記載の防水カバー。
【請求項５】
前記カバー本体は、筒状に形成されており、
前記挿入口部は、前記カバー本体の軸線方向両端部の各々に形成されている、請求項１乃至４の何れか１つに記載の防水カバー。
【請求項６】
前記カバー本体は、筒状の第１カバー部分と、筒状の第２カバー部分と、円環状の環状リングとを有し、
前記第１カバー部分及び前記第２カバー部分は、その軸線方向一端部に前記挿入口部が夫々形成され、
前記環状リングは、前記第１カバー部分の軸線方向他端部に外装され、
前記第２カバー部分は、その軸線方向他端部を前記環状リングに被せることによって前記第１カバー部分の軸線方向他端部に装着されるようになっている、請求項５に記載の防水カバー。
【発明の詳細な説明】
【技術分野】
【０００１】
本発明は、留置針の穿刺部、術部、及び患部等が水等の液体に触れないように保護するための防水カバーに関する。
【背景技術】
【０００２】
輸液ライン等を使って輸液を血管等に投与する場合、留置針等を腕に穿刺した後、留置針に輸液ラインを接続し、輸液ライン及び留置針を介して血管内に輸液を投与する。輸液を長期間にわたって血管に投与する場合、輸液ラインは、腕等に取付けられたままの状態となる。このような状態で入浴を行う場合、穿刺部に水等がかかると穿刺部から体内に雑菌が入るおそれがある。術部及び患部（主に傷）もまた、同様に、入浴時に水がかかるとそこから体内に雑菌が入るおそれがある。そのような入浴時における雑菌の侵入を防ぐべく、穿刺部等を防水カバー等で覆うことが考えられる。腕用の防水カバーとしては、例えば特許文献１のような防水カバーが知られている。
【０００３】
特許文献１の防水カバーは、大略円筒状に形成され、両端部分の環状締付部が本体部分より細径に形成されている。更に、防水カバーの両端には、締付リングが一体的に形成されている。このように構成される防水カバーでは、腕等を通すと、本体部分によって保護すべき個所を覆われ、更に環状締付部によって保護すべき個所の両側が締め付けられるようになっている。これにより、保護すべき個所に水が入らないようにしている。
【先行技術文献】
【特許文献】
【０００４】
【特許文献１】実用新案登録第３０３８３６５号公報
【発明の概要】
【発明が解決しようとする課題】
【０００５】
特許文献１の防水カバーでは、筒状の環状締付部を腕等に嵌めて締め付けることによって本体部分に入らないようにしている。他方、環状締付部には、肉厚の締付リングが一体的に形成されている。この締付リングにより、環状締付部の内周面と腕との間には、腕等への取り付け時に密着していない部分が生じてしまう。よって、環状締付部の締め付けによる防水効果が不十分であり、専ら締付リングの締め付けによって防水されることとなる。締付リングだけでは、水が毛細管現象により締付リングを超えて徐々に本体部分に向かって進み、やがて本体部分内へと達する。それ故、特許文献１のような防水カバーでは、十分な防水効果を得ることができず、毛細管現象により本体部分に侵入する水を止めることは難しい。
【０００６】
そこで本発明は、カバーの挿入口部から侵入する液体を止めることができる防水カバーを提供することを目的としている。
【課題を解決するための手段】
【０００７】
本発明の防水カバーは、人体の所定部位を覆うためのカバー本体と、前記カバー本体に前記所定部位を挿入すべく筒状に形成される少なくとも１つの挿入口部とを備え、前記挿入口部は、その内周面を前記所定部位付近に密着可能に構成され、前記内周面に周方向全周にわたって延びる液体捕捉部分を有し、前記液体捕捉部は、前記挿入口部に入ってくる液体を捕捉するようになっている、ものである。
【０００８】
本発明に従えば、液体捕捉部分によって毛細管現象によって挿入口部との間に入ってくる水を捕捉することができる。これにより、カバーの挿入口部から侵入する液体を止めることができる。
【発明の効果】
【０００９】
本発明によれば、カバーの挿入口部から侵入する液体を止めることができる。
【図面の簡単な説明】
【００１０】
【図１】本件発明に係る第１実施形態の防水カバーをその一部を断面にして示す平面図である。
【図２】図１の防水カバーの領域Ｘ１を拡大視して示す拡大断面図である。
【図３】図１の防水カバーの領域Ｘ２を拡大視して示す拡大断面図である。
【図４】第２実施形態の防水カバーの一部を拡大して示す拡大断面図である。
【図５】その他の実施形態の防水カバーをその一部を断面にして示す平面図である。
【発明を実施するための形態】
【００１１】
以下、本発明に係る第１及び第２実施形態の防水カバー１，１Ａについて図面を参照して説明する。なお、以下の説明で用いる方向の概念は、説明する上で便宜上使用するものであって、発明の構成の向き等をその方向に限定するものではない。また、以下に説明する防水カバー１，１Ａは、本発明の一実施形態に過ぎない。従って、本発明は実施形態に限定されず、発明の趣旨を逸脱しない範囲で追加、削除、変更が可能である。
【００１２】
＜第１実施形態＞
図１に示す防水カバー（以下、単に「防水カバー」という）１は、図示しない留置針等を穿刺した穿刺部分、傷口等の患部、及び術部等の所定部位を水等の液体（特に水）から保護するものである。防水カバー１は、例えば腕２に挿入され、本実施形態では、腕２の関節部分にある穿刺部分（図示せず）付近を覆うべく使用されている。このように使用される防水カバー１は、例えば伸縮性を有するゲル、例えばクリスタルゲル（商標）、タフシロンゲル（商標）、又はメディピュールゲル（商標）から成り、大略円筒状に形成されている。このような形状を有する防水カバー１は、カバー本体１１と、挿入口部１２とを有している。
【００１３】
カバー本体１１は、大略円筒状に形成されており、その軸線方向両端部分が外方に向かって先細りのテーパ状に形成されている。また、カバー本体１１は、第１カバー部分２１と、第２カバー部分２２と、環状リング２３とを有しており、第１カバー部分２１と第２カバー部分２２とに分割可能に構成されている。第１カバー部分２１は、大略円筒状に形成されており、その軸線方向一端部が外側に向かって先細りのテーパ状に形成されている。また、第１カバー部分２１の中間部分は、軸線方向一端部に比べ大径に形成され、略ストレートになっている。
【００１４】
また、第１カバー部分２１の軸線方向他端部は、図２に示すように周方向全周にわたって外側に折り返されており、折り返された部分によって折返し部２１ａを形成している。折返し部２１ａは、その半径方向内側にある第１カバー部分２１の外周面との間に円環状の空間、即ち環状空間２１ｂを形成しており、この環状空間２１ｂには、環状リング２３が嵌め込まれている。環状リング２３は、カバー本体１１に比べて弾性変形及び伸縮性が小さい（即ち、硬い）合成樹脂、例えばポリプロピレン、ポリエチレン、ポリカーボネート、又はポリスチレン等から成る大略円環状の環状部材である。環状リング２３は、前述の通り、環状空間２１ｂに嵌め込まれており、嵌め込むことによって第１カバー部分２１の軸線方向他端部付近の外周面に装着されている。また、第１カバー部分２１の折返し部２１ａの先端部分２１ｃが半径方向内側に向かって曲がって鉤状になっており、この先端部分２１ｃによって環状リング２３が環状空間２１ｂから飛び出ないようになっている。第１カバー部分２１は、このようにして外装される環状リング２３によってその軸線方向他端部の形状を断面円形状に保たれており、この軸線方向他端部には、第２カバー部分２２が装着されている。
【００１５】
第２カバー部分２２は、大略円筒状に形成されており、その軸線方向一端部が外側に向かって先細りのテーパ状に形成されている。また、第２カバー部分２２の残余の部分は、軸線方向一端部に比べ大径で且つ第１カバー部分２１の中間部分より小径に形成され、図２の二点鎖線で示すように、第２カバー部分２２の軸線方向他端部まで略ストレートになっている。また、第２カバー部分２２は、伸縮性を有しており、その軸線方向他端部を半径方向に拡げて第１カバー部分２１の折返し部２１ａより大径にすることができる。これにより、第２カバー部分２２の軸線方向他端部を折返し部２１ａに被せて環状リング２３に装着することができる。即ち、第２カバー部分２２を第１カバー部分に装着することができ、装着することによってカバー本体１１が構成される。また、第２カバー部分２２の軸線方向他端側の先端部分２２ｃもまた半径方向内側に向かって曲がって鉤状になっており、この先端部分２２ｃを折返し部２１ａに引っ掛けることで第２カバー部分２２が第１カバー部分から外れないようにしている。
【００１６】
このようにカバー本体１１は、２つのカバー部分２１，２２によって構成されており、カバー本体１１の両側の開口端部（即ち、２つのカバー部分２１，２２の軸線方向一端部）は、軸線方向外方に向かってテーパ状になっている。また、カバー本体１１の各開口端には、挿入口部１２が一体的に夫々形成されている。各挿入口部１２は、大略円筒状に形成されており、カバー本体１１の各開口端と略同径に形成されている。挿入口部１２は、カバー本体１１の開口端に繋がっており、一方の挿入口部１２Ｌ（例えば、第１カバー部分２１側の挿入口部１２）から腕２を挿入し、更に他方の挿入口部１２Ｒ（例えば、第２カバー部分２２側の挿入口部１２）から挿入した腕２を出すようになっている。なお、本実施形態とは逆に、他方の挿入口部１２Ｒから腕２を挿入し、一方の挿入口部１２Ｌから腕２を出すようにしてもよい。
【００１７】
また、各挿入口部１２Ｌ，１２Ｒの内径は、装着する人の前腕２ａ及び上腕２ｂに合せて選択されるようになっている。なお、挿入口部１２が伸縮性を有しているので、好ましくは、挿入口部１２の内径が前腕２ａ及び上腕２ｂよりも若干小径の挿入口部１２が選択される。これにより、上腕２ｂに嵌めたときに挿入口部１２Ｌの収縮により挿入口部１２Ｌが上腕２ｂに密着し、また前腕２ａに嵌めたときに挿入口部１２Ｒが収縮して前腕２ａに密着するようになっている。このように、カバー本体１１の軸線方向両側において各挿入口部１２を前腕２ａ及び上腕２ｂに密着させることによって、カバー本体１１内が密閉されて水がカバー本体１１に侵入することを抑制している。他方、挿入口部１２の内周面との腕２と間は、挿入口部１２に伸縮性を持たせても密着性を向上させても、必ずしも完全に封止することができず、僅かな隙間が生じる。水は、毛細管現象によってこの僅かな隙間を通ってカバー本体１１内の方へと侵入していくことがある。このような毛細管現象による水の侵入を止めるべく、各挿入口部１２の内周面には、液体捕捉部分３０を有している。
【００１８】
液体捕捉部分３０は、図３に示すように各挿入口部１２の内周面に複数の凸条部（本実施形態では、３つの凸条）３１〜３３を形成することによって構成されている。なお、図３では、第１カバー部分２１側の挿入口部１２Ｌだけを示しているが、第２カバー部分２２の挿入口部１２Ｒにも同じように液体捕捉部分３０が形成されている。しかし、以下では、第１カバー部分２１側の挿入口部１２Ｌの液体捕捉部分３０について説明し、第２カバー部分２２側の挿入口部１２Ｒの液体捕捉部分３０の説明については省略する。
【００１９】
第１乃至第３凸条部３１〜３３は、挿入口部１２の内周面に周方向全周にわたって形成されており、半径方向内側に向かって突出している。第１乃至第３凸条部３１〜３３の高さは、例えば１ｍｍになっており、それらの幅は、例えば２ｍｍ以上５ｍｍ以下になっている。また、第１乃至第３凸条部３１〜３３は、軸線方向に等間隔を空けて配置されており、各々間隔は、例えば１ｍｍ以上２ｍｍ以下になっている。このように形成される３つの凸条部３１〜３３は、各々間に円環状の捕捉溝４１，４２を形成している。つまり、各挿入口部１２の内周面には、２つの捕捉溝４１，４２が間隔を空けて形成されている。
【００２０】
捕捉溝４１，４２は、各挿入口部１２の内周面の周方向全周にわたって半径方向外方に凹むように形成されており、毛細管現象が起きないような深さ（前述する凸条部３１〜３３の高さ１ｍｍ〜３ｍｍ）で形成されている。このように形成される捕捉溝４１，４２は、第１乃至第３凸条部３１〜３３と共に液体捕捉部分３０を構成しており、防水カバー１を腕に装着した際に腕によって塞がれてその中に空間４１ａ，４２ａを形成する。その中の空間４１ａ，４２ａに毛細管現象によって侵入する水を捕捉（即ち、空間４１ａ，４２ａに導いて留める）するようになっている（図３の網目状のハッチ参照）。つまり、捕捉溝４１，４２によって、それより先に水を侵入させないようになっている。また、凸条部３１〜３３と腕との間に水が介在すると挿入口部１２が腕２に対して滑りやすくなるが、捕捉溝４１，４２によって水を捕捉することによって凸条部３１〜３３と腕との間に水が介在したまま留まることを抑制することができるので、挿入口部１２が腕２に対して滑りにくくすることができる。つまり、腕２に対して防水カバー１がずれてしまうことを防ぐことができる。
【００２１】
更に、液体捕捉部分３０では、最も軸線方向外側に位置する第１凸条部３１が挿入口部１２の開口端から間隔Ｌ０を空けて配置されており、図３に示すように装着時において挿入口部１２の開口端付近が半径方向内側に撓んで開口端付近が腕２に密着するようになっている。そのため、装着時において、挿入口部１２の開口端と第１凸条部３１との間にも円環状の捕捉用空間４３が形成される。それ故、液体捕捉部分３０では、毛細管現象によって挿入口部１２の開口端から侵入してくる水は、まず捕捉用空間４３によって捕捉され（図３の網目状のハッチ参照）、捕捉しきれなくなった水がそれより奥に位置する捕捉溝４１，４２によって捕捉される。このように、液体捕捉部分３０は、毛細管現象によって侵入してくる水を複数の空間４１ａ，４２ａ，４３で捕捉し、カバー本体１１内への水の侵入を阻止している。
【００２２】
このように構成される防水カバー１は、第１カバー部分２１と挿入口部１２Ｌとで第１カバー体２４を構成し、第２カバー部分２２と挿入口部１２Ｒとで第２カバー体２５を構成している。第１カバー体２４と第２カバー体２５とは、２つのカバー部分２１，２２を先に装着してから腕２に嵌めてもよいが、別々で腕２に嵌められ、その後に互いを装着することもできる。以下では、第１カバー体２４と第２カバー体２５とを腕２に別々に嵌めた後、互いを装着する場合における防水カバー１の装着方法について簡単に説明する。
【００２３】
まず、第１カバー体２４として上腕２ｂの太さに対して若干小径に形成される挿入口部１２Ｌを有するものが選択される。そして、第１カバー体２４の挿入口部１２Ｌに腕２を挿入して、第１カバー体２４を上腕２ｂに装着する。装着する際、事前に装着用リング（図示せず）を挿入口部１２Ｌの内側に嵌め込む。装着用リングは、腕２の太さより大径のリング部材であって腕２に対して滑りやすい合成樹脂、例えばポリカーボネート、ポリプロピレン、ポリエチレン、又はポリスチレン等から成る。即ち、装着リングを嵌めることによって、装着用リングを介して第１カバー体２４を腕２の上で滑らせながら上腕２ｂの方へ進めることができる。そして、挿入口部１２Ｌを上腕２ｂまで進めると、挿入口部１２Ｌから装着用リングを外す。これにより挿入口部１２Ｌが上腕２ｂに密着され、その状態で第１カバー体２４が腕２に装着される。その後、装着用リングを腕２から外し、次に第２カバー体２５を腕２に装着する。
【００２４】
第１カバー体２４と同様に、第２カバー体２５として前腕２ａの太さに対して若干小径に形成される挿入口部１２Ｒを有するものが選択される。そして、第２カバー体２５の挿入口部１２Ｒと反対側の口、即ち第２カバー部分２２の軸線方向他端側の開口から腕２を挿入し、更に挿入口部１２Ｒから腕２を突き出させることによって第２カバー体２５を前腕２ａに装着する。装着する際、第１カバー体２４と同様に挿入口部１２Ｒの内側に装着用リング（図示せず）を嵌め込んでおき、装着用リングを介して第２カバー体２５を腕２の上で滑らせながら上腕２ｂの方に進めていく。そして、第２カバー部分２２の軸線方向他端部が第１カバー体２４の折返し部２１ａの辺りまで進めると、第２カバー部分２２の軸線方向他端部全体を半径方向外側に押し広げて折返し部２１ａに被せる。被せた後、第２カバー部分２２の先端部分２２ｃを折返し部２１ａに引っ掛ける。これにより、第１カバー体２４に第２カバー体２５が装着される。装着用リングは、第１カバー体２４及び第２カバー体２５の装着の前後において、第２カバー体２５及び腕２から外される。このように第１カバー体２４に第２カバー体２５を装着し且つ装着用リングを腕２から外すと、カバー本体１１内が密閉され、外部からカバー本体１１内に水が入ることを防ぐことができる。
【００２５】
このようにして装着される防水カバー１は、挿入口部１２Ｌ，１２Ｒに液体捕捉部分３０を有しており、毛細管現象によって挿入口部１２Ｌ，１２Ｒとの間に入ってくる水を捕捉することができる。それ故、挿入口部１２Ｌ，１２Ｒから新有する水を止めることができ、水がカバー本体１１内に侵入することを抑制することができる。また、防水カバー１は、伸縮性を有する材料から成るので、装着する際に挿入口部１２Ｌ，１２Ｒを半径方向外側に押し広げて腕２に挿入することができる。それ故、前述するゲルより伸縮性を有しない合成ゴム等によって形成される従来の防水カバーに比べて装着しやすい。
【００２６】
また、防水カバー１は、２つのカバー体２４，２５に分割可能に構成されている。また、各カバー体２４，２５を上腕２ｂ及び前腕２ａに嵌めるようになっており、各カバー体２４，２５の各々に関して上腕２ｂ及び前腕２ａの各々太さに応じて別々に選択することができる。分割構造でない（即ち、一体型の）場合、２つの挿入口部が装着する腕の上腕２ｂ及び前腕２ａの各々の太さに適している防水カバーを選定する必要があるので、２つの挿入口部の内径に対して様々な組み合わせの防水カバーを製造する必要がある。これに対して防水カバー１は、分割構造であるので、各カバー体２４，２５に対して上腕２ｂ及び前腕２ａの各々太さに応じて別々に選定することができる、つまり２つの挿入口部の内径に関して自由に組み合わせすることができる。それ故、従来の一体型のカバー体に比べて腕２の形状に合った防水カバー１を提供することができる。
【００２７】
更に、一体型の防水カバーの場合、腕２に対して挿入口部１２Ｌ，１２Ｒの両方を進めていかなければならない。それ故、防水カバーが伸縮性を有さず、且つ腕に対する滑りを有していない場合に、防水カバーを腕に嵌めて進める作業が難しかった。しかし、防水カバー１では、２つのカバー体２４，２５を別々に腕２に嵌め込むので、一体型の防水カバーに比べて腕２に対する進めやすさが向上する。それ故、２つのカバー体２４，２５の嵌めやすさが格段に向上している。他方、防水カバー１は、分割構造であるため、２つのカバー体２４，２５を繋ぎ合わせる必要があるが、環状リング２３によって環状形状に保たれている第１カバー部分２１の軸線方向他端部に第２カバー部分２２の軸線方向他端部を被せるだけでの作業で第１カバー体２４を第２カバー体２５に装着して繋ぐことができる。それ故、防水カバー１では、２つのカバー体２４，２５を別々に装着し且つそれらを繋ぎ合わせる作業が必要であるが、その両方の作業が容易であるので、一体型の防水カバーを腕２に装着する場合と変わらない装着作業性、又はそれ以上の装着作業性を確保することができる。
【００２８】
＜第２実施形態＞
第２実施形態の防水カバー１Ａは、第１実施形態の防水カバー１Ａと構成が類似している。以下では、第２実施形態の防水カバー１Ａの構成について第１実施形態の防水カバー１Ａと異なる点について主に説明し、同一の構成については同一の符号を付して図示及び説明を省略する。
【００２９】
第２実施形態の防水カバー１Ａの挿入口部１２Ｂは、図４に示すように構成されている液体捕捉部分３０Ｂを有している。即ち、液体捕捉部分３０Ｂは、各挿入口部１２の内周面に複数の捕捉溝（本実施形態では、３つの捕捉溝）４１Ａ〜４３Ａを形成することによって構成されている。捕捉溝４１Ａ〜４３Ａは、挿入口部１２の内周面に周方向全周にわたって形成されており、半径方向外側に向かって凹んでいる。捕捉溝４１Ａ〜４３Ａの深さは、例えば１ｍｍとなっており、それらの幅は、例えば２ｍｍ以上５ｍｍ以下になっている。また、捕捉溝４１Ａ〜４３Ａは、軸線方向に等間隔を空けて配置されており、各々間隔は、例えば１ｍｍ以上２ｍｍ以下になっている。このように形成される３つの捕捉溝４１Ａ〜４３Ａは、第１実施形態の捕捉溝４１，４２と同様に、防水カバー１を腕に装着した際に毛細管現象によって侵入する水をそれらの中に捕捉するようになっている。また、３つの捕捉溝４１Ａ〜４３は、挿入口部１２と腕２との間に水が介在することを抑制し、挿入口部１２が腕２に対して滑りにくくすることができる。
【００３０】
このように構成される捕捉溝４１Ａ〜４３は、防水カバー１の開口端から離れている距離が、第１実施形態の防水カバー１の第１乃至第３凸状部３１〜３３のそれらと略対応させて形成されることが考えられる。この場合、最も開口端寄りに位置する捕捉溝４１Ａが第１実施形態の防水カバー１の捕捉用空間４３よりカバー本体１１側に形成されるため、挿入口部１２に侵入する水を第１実施形態の防水カバー１より奥側で捕捉することになるが、第１実施形態の防水カバー１と同様の作用効果を奏する。
【００３１】
＜その他の実施形態＞
第１及び第２実施形態の防水カバー１，１Ａは、伸縮性を有する材料、例えばクリスタルゲル（商標）、タフシロンゲル（商標）、及びメディピュールゲル（商標）で構成されているが、必ずしもこれらの材料のように大きな伸縮性を有する材料を用いる必要はない。例えば、前記ゲルに比べて伸縮性が低い合成ゴムであってもよく、装着した際に挿入口部１２Ｌ，１２Ｒを腕２に密着させることができる材料であればよい。
【００３２】
また、防水カバー１が使用される箇所は、腕２に限定されず、脚、頭、及び指であってもよい。なお、図５に示すように、指先３に使用される場合、防水カバー１Ｂを以下のような形状にすることが考えられる。即ち、防水カバー１Ｂは、カバー本体１１Ｂを有し、カバー本体１１Ｂの軸線方向一端側は、指先の形状に合せてドーム状に形成されて塞がれている。また、カバー本体１１Ｂの軸線方向他端部には、挿入口部１２が形成され、そこから指先を入れるようになっている。このように、防水カバー１Ｂは、必ずしも軸線方向両端部に挿入口部１２を有している必要はなく、少なくとも一方の端部に挿入口部１２が形成されていればよい。
【００３３】
また、第１及び第２実施形態の防水カバー１、１Ａでは、凸条部３１〜３３及び捕捉溝４１Ａ〜４３Ａが円環状に形成されているが、必ずしもこのような形状に限定されない。例えば、螺旋状に形成される凸条部又は捕捉溝を挿入口部１２の内周面に形成するようにしてもよく、液体捕捉部分３０，３０Ａで液体を捕捉できるような形状であればよい。また、凸条部３１〜３３及び捕捉溝４１Ａ〜４３Ａの数も３つに限定されず、１〜２つ、又は４つ以上であってもよい。但し、凸条部３１〜３３及び捕捉溝４１Ａ〜４３Ａの数は、３つ以上であることが好ましい。
【００３４】
更に、第１実施形態の防水カバー１では、装着用リングを用いて腕２に装着しているが、必ずしも装着用リングを用いる必要はない。装着時に、挿入口部１２Ｌ，１２Ｒを半径方向外側に押し広げて腕２を挿入することによって、各カバー体２４，２５を腕２に嵌めて装着することができる。
【００３５】
また、第１及び第２実施形態の防水カバー１、１Ａでは、主に穿刺部分、傷口等の患部、及び術部等の所定部位を水等の液体（特に水）から保護するため、即ち医療用として用いられることが説明されているが、必ずしも医療用に限定されない。即ち、前述するような穿刺部分、傷口等の患部、及び術部等の所定部位がないところに使用されてもよく、作業時に腕等の人体の所定部位を液体から保護するために使用してもよい。また、例えば酸性の液体等の特定の液体に対して耐性が高い材料をカバー本体１１，１１Ａに用いることによって、特定の液体に対して耐性の高い防水カバーを製造することができる。
【符号の説明】
【００３６】
１，１Ａ，１Ｂ  防水カバー
２  腕
２ａ  前腕
２ｂ  腕
１１，１１Ｂ  カバー本体
１２  挿入口部
２１  第１カバー部分
２１ａ  折返し部
２２  第２カバー部分
２３  環状リング
３０，３０Ｂ  液体捕捉部分
３１〜３３  凸条部
４１Ａ〜４３Ａ  捕捉溝
【図１】
2017158911.tif 000003
【図２】
2017158911.tif 000004
【図３】
2017158911.tif 000005
【図４】
2017158911.tif 000006
【図５】
2017158911.tif 000007